(57)【要約】【課題】デザイン性を高めることができるとともに、暗い箇所でも持ち手を容易に視認することができる厨房器具を提供する。【解決手段】多面体にカットされたガラス状の透明素材からなる反射ピース５を持ち手３の表面に取り付けてある。前記反射ピース５は多面体にカットされた直径３〜５mm程度のクリスタルガラスが用いられており、その一部が持ち手３の表面から突出するように装着されている。反射ピース５は、透明で反射率の高い素材が望ましく、クリスタルガラスの他に、アクリルガラス、水晶、天然宝石、人造宝石、などのガラス状の透明素材を適宜選択して使用することができる。【選択図】図１
0003140326.tif 000002
【実用新案登録請求の範囲】
【請求項１】
多面体にカットされたガラス状の透明素材からなる反射ピースを持ち手の表面に取り付けてあることを特徴とする厨房器具。
【請求項２】
前記反射ピースを持ち手の表面から突出して取り付けてあることを特徴とする請求項１記載の厨房器具。
【請求項３】
器具の種類によって前記反射ピースの取り付け個数を異ならせてあることを特徴とする請求項１または２記載の厨房器具。
【請求項４】
器具の種類によって前記反射ピースの取り付け位置を異ならせてあることを特徴とする請求項１ないし３のいずれかに記載の厨房器具。
【請求項５】
前記持ち手が濃色あるいは暗色に形成されていることを特徴とする請求項１ないし４のいずれかに記載の厨房器具。
【請求項６】
前記反射ピースはクリスタルガラス製である請求項１ないし５のいずれかに記載の厨房器具。
【考案の詳細な説明】
【技術分野】
【０００１】
本考案は、フライパン、なべ、湯沸し、しゃもじ、等の持ち手を備えた厨房器具に関する。
【背景技術】
【０００２】
近年、厨房器具はその機能のみならずデザイン性にも優れたものが要望されており、持ち手を備えた厨房器具においては、持ち手の形状、色あい、素材、などに種々の工夫が施されている（特許文献１参照）。
【特許文献１】特開２００１−２３１６９５（第２頁、図１）
【考案の開示】
【考案が解決しようとする課題】
【０００３】
消灯して薄暗くなった厨房に置かれた器具や、調理台下の物入れのような暗く陰になっているような収納部に納めた器具を取り出す場合、器具の持ち手の位置を目視しにくくて器具の取り出しに手間取ることがある。特に、視力の弱い人にとっては暗い箇所での器具の取り出しが不自由になるものであった。
【０００４】
本発明は、このような実情に着目してなされたものであって、持ち手に工夫を施すことで器具のデザイン性を高めるとともに、持ち手を容易に目視して暗い箇所からでも容易に取り出すことができる厨房器具を提供することを目的としている。
【課題を解決するための手段】
【０００５】
上記目的を達成するための本考案は以下のような特徴を備えている。
【０００６】
本考案に係る厨房器具は、多面体にカットされたガラス状の透明素材からなる反射ピースを持ち手の表面に取り付けてあることを特徴とする。
【０００７】
この構成によると、明るい箇所において反射ピースの各カット面が光を良く反射して輝き、厨房の壁などに器具を掛けておくことで厨房全体がきらびやかになり、おしゃれな雰囲気の厨房とすることができる。
【０００８】
また、反射ピースはわずかな光を受けてもカット面で反射するので、薄暗い箇所でも持ち手の位置を容易に視認することができる。
【０００９】
本考案の実施形態として、前記反射ピースを持ち手の表面から突出して取り付けることもできる。
【００１０】
これによると、反射ピースに備えた多くのカット面が露出して一層効果的に光を反射して輝かせることができる。また、持ち手の表面から突出した反射ピースを滑り止めとしての機能を発揮させることもできる。
【００１１】
本考案の他の実施形態として、器具の種類によって前記反射ピースの取り付け個数又は取り付け位置を異ならせることもできる。
【００１２】
これによると、暗い箇所に保管した器具の種類を持ち手に備えた反射ピースの個数又は取り付け位置から容易に識別することができ、灯りをつけなくても所望の器具を取り出すことができる。
【００１３】
本考案の更に別の実施形態として、前記持ち手が濃色あるいは暗色に形成することもできる。
【００１４】
これによると、反射ピースでの反射を際立たせることができ、装飾的な機能を充分に発揮させることができる。
【考案の効果】
【００１５】
以上のように、本考案の厨房器具は、持ち手の工夫で器具のデザイン性を高めることができるとともに、暗い箇所においても持ち手を容易に目視して取り出すことができるものである。
【考案を実施するための最良の形態】
【００１６】
以下、図面を参照して本考案の実施例のいくつかを説明する。
【００１７】
図１に、厨房器具の第１例としてのフライパン１が示されている。このフライパン１は、パン本体２の周方向適所から持ち手３を片持ち状に延出して構成されている。
【００１８】
前記持ち手３は、ベークライトやフェノール樹脂などの耐熱性および断熱性に優れた樹脂材で形成され、パン本体２の外表面の色に合わせた色に着色されているとともに、その先端部には吊下げ用の引掛け孔４が備えられている。
【００１９】
前記持ち手３における上向き表面の長手方複数個所（この例では３箇所）に、ガラス状の透明素材からなる反射ピース５が埋め込み固定されている。反射ピース５の取り付け個数や取り付け位置は特に限定されないが、厨房器具の種類（例えば、フライパン１のサイズなど）に応じて、反射ピース５の取り付け個数や取り付け位置を変えると厨房器具の種類判別を容易に行うことができるので好ましい。
【００２０】
前記反射ピース５は多面体にカットされた直径３〜５mm程度のクリスタルガラスが用いられており、その一部が持ち手３の表面から突出するように装着されている。反射ピース５は、透明で反射率の高い素材が望ましく、クリスタルガラスの他に、アクリルガラス、水晶、天然宝石、人造宝石、などのガラス状の透明素材を適宜選択して使用することができる。
【００２１】
ここで、持ち手３が黒色（暗色）や濃い色に着色されていると、反射ピース５の輝きが一層際立ちやすく、装飾的な効果の高いものとなる。
【００２２】
図４に、厨房器具の第２例としての湯沸し６が示されている。この湯沸し６における吊り手（持ち手）７の中央上面に適当個数の反射ピース５が一部を突出させた状態で並列して埋め込み固定されるとともに、蓋８の摘み（持ち手）９の上面にも反射ピース５が一部を突出させた状態で埋め込み固定されている。
【００２３】
図５，６に、厨房器具の第３例としての蓋付きの両持ち鍋１１が示されている。この両持ち鍋１１は、鍋本体１２の外周対角位置に樹脂成形された一対の持ち手１３を備えて構成されており、各持ち手１３の上向き表面に、適当個数の反射ピース５が一部を突出させた状態で埋め込み固定されるとともに、蓋１４の中央に備えられた摘み（持ち手）１５の上向き表面にも適当個数の反射ピース５が一部を突出させた状態で埋め込み固定されている。
【００２４】
〔他の実施例〕
本考案は以下のような形態で実施することもできる。
（１）上記実施例では、比較的大径の反射ピース５の単体を適当な間隔をもって持ち手に取り付ける構成としているが、より小径に形成した多数の反射ピース５を線状に並べて取り付けることもできる。この場合、線状に並べた反射ピース５群で文様を描くことで、一層デザイン性に富んだものにすることができる。
【００２５】
（２）反射ピース５は、必ずしも無色透明のものである必要はなく、淡く色のついた透明素材を利用することで一層きらびやかで装飾性の高いものとなる。複数個の反射ピース５を取り付ける場合、色の異なったものを混ぜることも装飾性を高める上で有効となる。
【００２６】
（３）本発明は、上記実施例の他に、包丁の柄（持ち手）、攪拌器の柄（持ち手）、しゃもじの柄（持ち手）などに反射ピース５を取り付けて実施することもできる。
【００２７】
（４）本発明は、上記した調理器具のみならず、電子レンジやオーブンなどの扉付きの厨房器具にも応用することができ、これらの扉に備えられた持ち手に反射ピース５を取り付けて、厨房を一層おしゃれなものにすることができる。
【図面の簡単な説明】
【００２８】
【図１】第１例を示す全体斜視図
【図２】第１例における持ち手部分を示す平面図
【図３】持ち手部分の拡大平面図
【図４】第２例を示す側面図
【図５】第３例を示す平面図
【図６】第３例の一部を切欠いた正面図
【符号の説明】
【００２９】
３            持ち手
５            反射ピース
７            持ち手（吊り手）
９            持ち手（摘み）
１３          持ち手
１５          摘み（持ち手）
【図１】
0003140326.tif 000003
【図２】
0003140326.tif 000004
【図３】
0003140326.tif 000005
【図４】
0003140326.tif 000006
【図５】
0003140326.tif 000007
【図６】
0003140326.tif 000008